Podtech/llm-jp-corpus-v4-ja_patent huggingface dataset:
(57)【要約】【課題】作業場内に浮遊する粉塵、ダスト、金属片および加工中に発生する臭気が職場環境を害する。特に作業者が吸引することで健康に与える影響が大きい、また粉塵がコンピューター、精密機械に与える影響も大きく誤動作を招く原因になっている。【解決手段】本発明の集塵装置により、作業場内に浮遊する粉塵・ダスト、金属片を水盤（上位部から下位部に流れ落ちる水の壁）と吸引装置で水槽内に流し込み、金属片等の比重の大きい物質は水槽内に沈殿させ、比重の小さい粉塵や汚れた空気は噴霧シャワー、浄化フィルターを介して集塵装置外へ排出される。【選択図】図１
2011067807.tif 000002
【特許請求の範囲】
【請求項１】
集塵装置に水盤（板の全面に沿って装置上部から下部に向かって流れる水の壁）を設け、溶接作業後のサンダー仕上げで発生する火花を水盤上に流れる水で受けて消火し集塵装置内での火災発生を防止する、また工芸品製造や塗装工程等で発生する粉塵も吸引装置と水盤上を流れる水で巻き込むことで飛散を防止し集塵するようにした、クリーンブース。
【請求項２】
粉塵は水盤上の水の流れで発生する微小な浮遊水滴と集塵装置の吸引力で水流に巻き込まれ、水槽の水面に叩きつけられる、叩きつけられた粉塵の中でも比重の大きい物質は水槽内に沈殿し、比重の小さい空気・物質は水盤裏部に設置された噴霧シャワー、浄化フィルターで浄化、脱臭されるようにした、請求項１のクリーンブース。
【請求項３】
水槽内を３つのエリア１６、１７、１８（水槽の水は１６、１７、１８エリア共通）に分割し、１６のエリアでは比重の大きい物質を水槽内に沈殿させ、１７のエリアでは１６のエリアで選別沈殿できなかった微細物質を噴霧シャワーで沈殿させ、更に２枚のフィルターと脱臭フィルターを通して空気の浄化及び脱臭をおこなう、１８のエリアでは集塵装置内の空気浄化の最終工程として、空気を水面に叩きつける３度目の作業を実施し、完全にクリーン化された空気のみを放出するようにした、請求項１〜２のクリーンブース。
【請求項４】
本装置の水を受ける部分はステンレス材で構成され、水槽及び集塵装置内で使用される水は腐敗、凍結を防止する混合剤を使用することで長期間の使用が可能となり、かつ集塵装置内で循環使用することで省エネ化がなされた、請求項１〜３のクリーンブース。
【発明の詳細な説明】
【技術分野】
【産業上の利用分野】
【０００１】本発明は、製造工場内に浮遊する粉塵、ダストを作業者が体内に吸引することで、作業者が受ける健康上の害を防止するためのものである。
【背景技術】
【０００２】従来の工場内には人体への公害に無防備の作業者が圧倒的に多く、防塵マスクをつける作業者もいるが息苦しく装着は定着しない。乾式集塵装置の設置工場もあるが火花を伴うサンダーがけ、溶接等の熱を帯びた粉塵により集塵装置内で火災が発生することがあり、広く普及せず、工場内に浮遊する粉塵が人体に及ぼす影響は甚大である。
【発明が解決しようとする課題】
【０００３】工場内に潜む粉塵、悪臭対策が中小零細企業では野放しになっており、設備しようとしても設備が高額、乾式防塵装置での火災発生の可能性の問題もあり、工場内環境整備がなされてない。
【０００４】また集塵装置を通して工場外へ排出するためのダクトの設置が必要となり設置スペースにも大きな問題が発生している。本発明は以上の欠点を解決する為のものである。
【課題を解決するための手段】
【０００５】本発明では、工場内の作業で発生する火花を含む粉塵を水盤（水が装置の上位部から下位部に流れ落ちる）の水流に巻き込むことで高熱を帯びた粉塵から熱を奪い、集塵装置内での火災の発生を防ぐことができる。また本発明の装置内に吸引された空気は３度にわたり水面に叩きつけられ、比重の大きい物質は水槽内に沈殿させ、軽い粉塵、ダストは二重構造の浄化フィルターと脱臭フィルターで浄化され、クリーンになった空気のみを本装置外へ排出する、本装置内では三度にわたる空気の浄化がなされることで排出用ダクトの設備が不要となり、省スペース化が実現されている。
【作用】
【０００６】本発明の集塵装置は水槽を用いることで比重の大きい物質は水槽内に沈殿させ、超微粒子を含んだエアーのみが噴霧シャワー、浄化フィルターに吸い込まれるため、エアーフィルターの目詰まりが大幅に軽減され、定期的メンテナンス期間が大幅に延長される、このことにより、本集塵機の機能が満たされたクリーンブースが常時工場内で稼働、リフレッシュされた空気を工場内に還元でき、工場内に快適空間を用意することができるようになった、クリーンブースを提供することができた。
【実施例】
【０００７】以下、本発明の実施例を図１に基づいて示す。
図１の３の水盤を流れる水は工場内に浮遊する粉塵・ダスト及び火花等の高熱にさらされた物質を巻き込みながら水槽内へ落とし込む。水盤の上位部周辺で水流が巻き込めない軽い粉塵は５の吸引口を通して本装置内フィルターへ吸引される。水槽内１６エリア部では３の水盤上を流れる水流に巻き込まれた粉塵・ダストのうち比重の大きい物質は２の水槽内に沈殿、比重の小さいものは強力な吸引力により、水盤３の先端部と水槽２の水面の間を流れ１７エリア部へ吸引され噴霧シャワー９で洗浄され、フィルター１０，１１、脱臭フィルター１２に吸い込まれ浄化・脱臭され、１８エリア部に流れ、水槽内の水にぶつけられ、これまでの過程では除去できてなかった微細粒子の除去がなされ、完全に洗浄されたクリーンな空気のみが本装置外へ放出される。
【発明の効果】
【０００８】本発明により、工場内のクリーンな環境を保つことができると共に、作業者の健康管理、また工場内のコンピューター、精密機械の駆動部を保護することができる。
【図面の簡単な説明】
【０００９】
【図１】本発明のクリーンブースの斜視図
【図２】本体図１のＣ斜図
【図３】浄化フィルターと噴霧シャワーの拡大図
【符号の説明】
【００１０】１クリーンブース本体
２水槽
３水盤（エリア１６と１７の仕切兼）
４仕切板（エリア１７と１８の仕切）
５吸引口（上部）
６上部タンク
７集塵用ファン
８噴霧シャワー用配管
９噴霧シャワーノズル
１０浄化フィルター（下）
１１浄化フィルター（中）
１２脱臭フィルター
１３水盤上の水の流れ
１４水槽内の混合水
１５集塵受けパネル
１６水槽内エリア１６
１７水槽内エリア１７
１８水槽内エリア１８
１９本体ベース
【図１】
2011067807.tif 000003
【図２】
2011067807.tif 000004
【図３】
2011067807.tif 000005
(57)【要約】      （修正有）【課題】従来、塗装の途中、小休止するとき、刷毛を無造作に塗装缶の中に入れておくだけであり、一日の作業が終了したときは、刷毛をシンナーで洗い塗装缶にシンナーを入れて塗装缶の中に無造作に浸けておくだけであった。刷毛の型崩れや、刷毛に付着する塗料を最小限に抑え、小休止の場合の作業再開の時間短縮を行う。【解決手段】塗装缶に、刷毛装着装置を取り付けて常に刷毛部分を浮かし、塗料やシンナーの量によって高さを調整する。【選択図】図４
2011067806.tif 000002
【特許請求の範囲】
【請求項１】
いろいろな塗装缶に脱着可能な特徴を持つ刷毛装着装置。
【請求項２】
いろいろな刷毛に対応する特徴を持つ刷毛差し込み部を持つ請求１項に記載の刷毛装着装
【請求項３】
塗装缶に脱着自在を特徴とする請求項１又は２に記載の刷毛装着装置。
【発明の詳細な説明】
【技術分野】
【０００１】本発明は、ペンキの缶に刷毛を装着する装置です。
【背景技術】
【０００２】従来では、塗装の途中小休止するとき刷毛を無造作に塗装缶の中に入れておくだけです。また、一日の作業が終了したときは、刷毛をシンナーで洗い塗装缶にシンナーを入れて塗装缶の中に無造作に浸けておくだけでした。【０００３】また、小休止の場合も刷毛を無造作に塗装缶浸けて置くか、毛をシンナー等で洗って塗装缶の外に置いておくだけです。
【発明の概要】
【発明が解決しようとする課題】
【０００４】刷毛の型崩れや、刷毛に付着する塗料を最小限に抑えることです。【０００５】また、小休止の場合の作業再開の時間短縮です。
【課題を解決するための手段】
【０００６】塗装缶に、刷毛装着装置を取り付けて常に刷毛部分を浮かし塗料やシンナーの量によって高さを調整します。
【発明の効果】
【０００７】本発明は無造作に刷毛を塗装缶に入れた時に刷毛の型崩れを防ぎます。【０００８】また、刷毛を無造作に塗装缶に入れることがなく、刷毛に付着する塗料を最小減に防ぎます。【０００９】また、小休止の場合も刷毛を無造作に塗装缶の塗料に浸けて置くことがなく毛をシンナー等で洗うこともなく作業再開の時間短縮になります。【０００１０】これらの効果よって刷毛の寿命も延び、経費を節減できます。
【図面の簡単な説明】
【０００１１】
【図１】本発明品を塗料缶に装着したところを上から見た図です。
【図２】図１のＢ方向から見た図です。
【図３】図１のＡ方向から見た図です。
【図４】図１のＡ方向から見た本発明品に刷毛を装着した断面図です。
【図５】本発明品を上から見た図です。
【図６】図５のＡ方向から見た図です。
【発明を実施するための形態】
【０００１２】本発明の実施の形態を図１〜図７に基ずいて説明します。
【０００１３】図１は、塗装缶に装着したところで、１は刷毛が装着しやすいようにテーパー状になっております。また２は、塗装缶上部淵の折り返し部分を示す。
【００１４】図２は、本発明品を装着したところをＢ方向から見た図です。
【００１５】図３は、本発明品を装着したところをＡ方向から見た図で、３の部分は、塗装缶の折り返し部分があるため５ミリ位の隙間が開いております。
【００１６】図４は、本発明品を装着したところをＡ方向から見た断面図で、刷毛を本発明品に装着した場合、塗装缶の底に刷毛の毛が、触れずに長時間シンナー等で毛の硬化を防ぐとき毛の部分の型崩れを防ぐことができます。
【００１７】また、小休止の場合も、塗装缶に塗料が入ったままでも毛の部分だけ塗料に浸けて置けば、そのまま作業再開ができます。
【００１８】図５は、本発明品の刷毛差し込み部を上から見た図で５の部分は刷毛が差し込みやすくテーパー状になっており約５ミリの隙間があります。６の部分は、約１５ミリの隙間があります。
【００１９】図６は、本発明品の、塗装缶差し込み部を横から見た図で７の部分は、塗装缶に差し込みやすくテーパー状になっており約３ミリの隙間があります。６の部分は、約５ミリの隙間があります。
【符号の説明】
【００２０】１        本発明品、刷毛差し込み部の状態。
２        塗装缶の折り返し部。
３        本発明品、塗装缶差し込み部状態。
４        本発明品、断面の塗装缶差し込み部状態。
５        刷毛差し込み部のテーパー状隙間約５ミリの状態。
６        刷毛差し込み部隙間約１５ミリの状態。
７        塗装缶差し込み部テーパー状隙間約３ミリの状態。
８        塗装缶差し込み部テーパー状隙間約５ミリの状態。
【図１】
2011067806.tif 000003
【図２】
2011067806.tif 000004
【図３】
2011067806.tif 000005
【図４】
2011067806.tif 000006
【図５】
2011067806.tif 000007
【図６】
2011067806.tif 000008
(57)【要約】      （修正有）【課題】うつぶせ又は仰向け状態で肩や腰を指圧マッサージをするとき布団や薄板を身体の下側に敷いて指圧を受ける患部が指圧の押す力を十分受け止めるようにしていた。マッサージの強さや患部の状態によって無意識に体がずれ、指圧を避けようとして移動しないように固定し、指圧の効果が発揮される敷物を提供する。【解決手段】指圧マッサージ具の敷物１に両肩に当たる部分に肩止め部材２Ａを固定し、腰にあたる部分には指圧受ける人の体型に合わせて上下左右に移動させて適合位置で固定ができ、かつ身体が当たっても支障の無い適度の固さの材質で形成した２個の腰止め部材２Ｂを設け、足で挟めてなおかつ尻部分の体型に合わせ上下に移動、固定できる尻止め部材２Ｃを設けたものであり、取り付けた全ての止めが基準になり指圧を受ける人の指圧マッサージを施したい場所が確保でき、その部分を重点的にマッサージすることができる。【選択図】図１
2011067364.tif 000002
【特許請求の範囲】
【請求項１】
指圧マッサージ具の敷物に、両肩に当たる部分に少し湾曲がある肩止め部材を固定し、腰にあたる部分には指圧受ける人の体型に合わせて上下左右に移動させて適合位置で固定ができ、かつ身体が当たっても支障の無い適度の固さの材質で形成した２個の腰止め部材を設け、足で挟めてなおかつ尻部分の体型に合わせ上下に移動および固定ができる尻止め部材を設け、さらに背中が当たる部分には帯状のクッション材を、鉤とループ状が対を成した止め部材で敷物表面に取り付け取り外し可能に取り付けたことを特徴とする止め部材付き指圧マッサージ具。
【発明の詳細な説明】
【技術分野】
【０００１】
本発明は  指圧マッサージするときに指圧のツボを正確に押すための指圧マサージ具に関するものである。    
【背景技術】
【０００２】
うつぶせ状態又は仰向け状態で、肩や腰の指圧マッサージをするとき、これまでは厚みの薄い布団や布や薄板を体の下側に敷いていた。これらの敷物は、指圧を受ける者の患部が指圧の押力を十分受け止めるために用いられていた。しかし指圧マッサージの強さや患部の状態によって、無意識に体がずれ、指圧力を避けようとして移動するため、指圧の効果は十分に発揮されるとはいえない状況が生じていた。
【先行技術文献】
【特許文献】
【０００３】
【特許文献１】特開平０８−２９９１１９
【発明の概要】
【発明が解決しようとする課題】
【０００４】
さらに上記の場合には、適当な角度で寝転んでマッサージをする、または受けることになるので指圧位置が決まらず、体を全体的に押すことになって必要の無い個所まで押してしまって指圧効果が十分ではなく、場合によって身体に害を与えることもあった。
【課題を解決するための手段】
【０００５】
本発明は、指圧マッサージ具の肩に当たる部分に少し湾曲がある止め部材を固定し、腰にあたる部分には、指圧受ける人の体型に合わせて上下左右に移動させて適合位置で固定ができ、かつ身体が当たっても支障の無い適度の固さの材質で形成した２個の止め部材を設け、さらに足で挟めてなおかつ尻部分の体型に合わせ上下に移動、固定できる止め部材を設けたものである。これにより、取り付けた全ての止めが基準になって指圧を受ける人の指圧マッサージを施したい場所が確保でき、その部分を重点的にマッサージすることができるものである。
【発明の効果】
【０００６】
このように指圧マッサージ具に指圧を受ける人の肩部分、腰部分および尻部分に合致して止め部材を設けたことで、この止め部材が基準になって指圧マッサージしたい患部が判り、その部分を確実に指圧でき、場合によっては貼付薬やシップ薬を張りたい箇所も容易に把握してその部分に簡単に張り薬を貼ることができる。
【図面の簡単な説明】
【０００７】
【図１】本発明の指圧マッサージ具を示す平面図
【図２】同側面図
【図３】同使用状態を示す平面図
【図４】同使用状態の側面図
【発明を実施するための形態】
【０００８】
以下、本発明の実施形能を図面に沿って説明する。
【０００９】
図１は指圧マッサージ具を示す平面図であり、図中1は平らな面、例えば畳みやフローリング床の上に敷く布、薄布団、薄板等からなる敷物であり、この上に指圧を受ける者が仰向け状態で横たわる。２Ａは対象者の左右の肩の位置を規定する肩止め部材、２Ｂは腰止め部材であり、これは対象者の肩位置からの距離に合わせて上下方向に２０から３０ｃｍ程度移動できるようになっているとともに、左右方向には広くも狭くもなるようにスライド方式で移動及び固定できるようになっている。２Ｃは左右の両脚間に位置する尻止め部材で、これは対象者の体格に合わせ腰位置を基準に上下にスライドして移動及び固定できるようになっている。３は指圧マッサージを受ける対象者の体調によって力加減の違いがある、取り付け取り外しが可能な帯状のクッション材で、これは例えば鉤とループが対を成した取り外し可能な止め部材の一方をクッション材の裏面に取り付け、他方を敷物１の表面に帯状に取り付けて鉤とループの絡みで固定するものである。従ってこのクッション材３は必要のないときには、鈎部をループから引き剥がして敷物から取り外すことができる。
【００１０】
図２はこれらの止め部材を備えた敷物の側面図であり、指圧を受ける者はこの上に仰向け状態で横たわって指圧マッサージを受けるものである（図３に図示した）。
【００１１】
図４は横たわって状態の側面図であり、対象者の左右の肩、腰、尻部分は止め部材で位置規制され、指圧の圧力を患部に受けて際に、無意識に体が逃げたり、よじったりすることがないようにしている。
【００１２】
このような指圧マサージ具であるので、対象者にことさら体を動かさないようにと指示を出すことなしに、負担なくその身体の位置を規制できろ。従って、指圧マッサージを開始するに当たって、患部の位置の確認や状態を確実に把握でき、患部の症状に応じて指圧力や加圧時間を加減することが容易にできる
また、指圧マッサージ後に血行促進的に患部に貼付剤、いわゆる張り薬を貼る場合でも患部の場所が確実に把握できているので貼り間違いを生じることなく手早く処置できる。勿論指圧を受ける者の横たわった状態は、上に述べた仰向け状態に限ることなく、患部の位置や有り様に応じてうつぶせ状態であってもよく、この場合にも同様な患部への指圧を受けることが可能である。
【産業上の利用可能性】
【００１３】
このように本発明の指圧マッサージ具は、指圧を受ける者の体格、体型に応じてその患部を把握し易くするとともに、指圧力を受ける際の無意識な身体の逃げやよじれをなくしてマッサージ効果を高めることができるものである。
【符号の説明】
【００１４】
１   敷物
２Ａ  肩止め部材
２Ｂ  腰止め部材
２Ｃ  尻止め部材
３    取り付け取り外し可能なクッション材
【図１】
2011067364.tif 000003
【図２】
2011067364.tif 000004
【図３】
2011067364.tif 000005
【図４】
2011067364.tif 000006
(57)【要約】【課題】  本発明は、愛し合っている恋人や仲が良い夫婦や親子や家族のみなさんが、１つのコップに入っている飲み物を一緒に同時に飲むことによって、お互いがより深い愛情と喜びや楽しさをもって飲むことができるラブラブストローを提供する。【解決手段】  １本のストロー（１）の一面に、もう１本のストロー（２）の一面を付着させ、２本のストローが一体になるように結合し、一体に構成された２本のストローの上部にハートの形をした物品（３）を付着し、結合させたことを特徴とするラブラブストロー。【選択図】図１
2011067568.tif 000002
【特許請求の範囲】
【請求項１】
１本のストロー（１）の一面に、もう一本のストロー（２）の一面を付着させ、２本のストローが一体になるように結合し、一体に構成された２本のストローの上部にハートの形をした物品（３）を付着し、結合させたラブラブストロー。
【発明の詳細な説明】
【技術分野】
【０００１】  本発明は、１本のストローの一面に、もう１本のストローの一面を付着させ、２本のストローが一体になるように結合し、一体に構成された２本のストローの上部にハートの形をした物品を付着し、結合させたラブラブストローに関するものである。
【背景技術】
【０００２】  従来、ストローは、コップに入っている飲み物を、１人の人が１本のストローを使って飲んでいた。
【発明の概要】
【発明が解決しようとする課題】
【０００３】  そのために、次のような問題点がある。
従来、愛し合っている恋人や仲が良い夫婦であっても、１つのコップに入っている飲み物を飲むとき、１人１人が１本のストローを使ってコップに入っている飲み物を飲んでいたので、恋人たちのデートや夫婦の団らんは、必ずしも楽しいものにはならなかった。
【課題を解決するための手段】
【０００４】  本発明は、１本のストロー（１）の一面に、もう１本のストロー（２）の一面を付着させ、２本のストローが一体になるように結合し、一体に構成された２本のストローの上部にハートの形をした物品（３）を付着し、結合させたもの。
本発明は、以上の構成よりなるラブラブストローである。
【発明の効果】
【０００５】（イ）  愛し合っている恋人たちや仲が良い夫婦たちが、本発明品を使うと、１つのコッ      プに入っている飲み物を一緒に同時に飲むことができる。
そのために、恋人たちや夫婦たちの間には、より一層の愛情が深くなったり、楽      しい雰囲気の中で、おいしく飲み物を飲むことができる。
（ロ）  幼い兄弟姉妹たちや一家の家族たちが、本発明品を使うと、１つのコップに入っ      ている飲み物を一緒に同時に飲むことができるので、兄弟愛や家族愛や家族の絆が      生まれてくるので、家族みんなが幸福を感じることができる。
【図面の簡単な説明】
【０００６】
【図１】  本発明の斜視図である。
【発明を実施するための形態】
【０００７】  以下、本発明を実施するための形態について説明する。
１本のストロー（１）の一面に、もう１本のストロー（２）の一面を付着させ、２本のストローが一体になるように結合し、一体に構成された２本のストローの上部にハートの形をした物品（３）を付着し、結合させたもの。
本発明は、以上のような構造である。
これを使用するときは、一体に構成された２本のストローを、飲み物が入ったコップに差し込み、２本のストローの吸い口から２人が同時に飲み物を吸い取り、飲めばよい。
【符号の説明】
【０００８】    １  ストロー
２  ストロー
３  ハートの形をした物品
【図１】
2011067568.tif 000003
(57)【要約】【課題】油の多い料理を食べる際、料理から構造的に油分を取り除きながら食事をとることができるようにする為、料理が盛り付けられた皿を低角度に傾けて置く事ができる、３°〜１０°の傾斜を持った皿敷きを提供する。【解決手段】水平に対して３°〜１０°の傾斜を持った皿敷き１の上に、料理が盛られた皿を置くことによって、料理はずれ落ちることなく、油分のみが一方の端に集まり、油分を除きながら料理を食べることができるようにする。【選択図】図１
2011067570.tif 000002
【特許請求の範囲】
【請求項１】
料理をのせる食器皿、スープ皿を低角度に傾ける角度を有する敷物。平面の形状及び材質は任意であり、食器皿を傾けて置く為に使用される皿敷き。スープに代表される液状の料理の場合、少なくなって来た時一方に集まり易く、掬い易くなり、中華料理に代表される、調理に油を多く使用した炒め物などの場合は食器を傾けることによって料理から沁み出た油が一方の端に集まり、油を除く効果を持たせる。さらに油分の少ない料理においても、調味用ソース等が一方の端に集まることにより味の調節を任意に行い易くする。液状の調味料を低い部分に注げば広がることなく調味料用の小皿が不用となる。このような効果を期待するため、液状のものは流れ、且つ料理そのものはずれない程度の、断面が水平に対して３〜１０度の傾斜を有した敷物。
【請求項２】
鉄鋳物製ステーキ皿を低角度に傾ける角度を有する木台。各種ステーキ料理を調理する際使用され、又は材料そのものから沁み出る油を食べる際に極力除く効果を持たせるため、又はソースを一方の端に集めて味の調節をしやすくするために用いられる、鉄皿をのせる凹み部分に、断面が水平に対して３〜１０度程度の傾斜を有した木台。
【発明の詳細な説明】
【技術分野】
【０００１】本発明は、食事の際、皿、又は鉄皿を低角度に傾けることにより、料理に含まれる液状部分を固体部分より分離させ、一方の端に集めることにより様様なメリットを享受できるようにしたものである。
【背景技術】
【０００２】従来は皿、又は鉄皿は水平に置くものであり、傾けて使用するという概念はなく、皿を傾けて置くための器具はなかった。
【発明の開示】
【発明が解決しようとする課題】
【０００３】中華料理などに代表される調理の際に油を多く使用した料理、揚げ物、又は材料に油を多く含んだステーキ肉、ハンバーグなどは食器皿に盛り付けた後、油が皿の上に多く染み出る。こうした油はそのままの状態であれば食べる際、その多くが料理に付着したままとなり、一緒に摂取することとなる。油を極力除くことはダイエット、健康志向の求めるものであり、食習慣のなかで油を多く含んだ料理から盛り付け後に油を常に構造的に取り除く観点から作られ、使用される食器はなかった。本発明はこの課題を解消するためになされたものである。
【課題を解決するための手段】
【０００４】水平に対して３〜１０度の角度を有した皿敷き、鉄皿を置く凹みの部分に同じく水平に対して３〜１０度の傾斜を持たせた木台によって、料理そのものがずれて一方に寄ることなく、料理から染み出た油のみが一方の端に集まるようにした。既存の皿、鉄皿を使用できるようにするために、皿敷き、木台に傾斜を持たせるようにした。
【発明の効果】
【０００５】皿敷き１、木台２によって料理を盛りつけた直後から油が一方の端に集まり始め、高くなっている所から食べ始めればさらに油を除きながら食べることができる。染み出た油が集まることにより視覚的にこれだけの油を除去することができたと認識することができる。またその他の効果として、料理のソースも液状に近いものは端に集まるため、味が濃すぎる場合や薄すぎる場合に任意に調節しやすくなる。スープなどの液状の料理は少なくなってきたときに片方に集まるためすくいやすくなる。さらに、醤油、ソースといった液状の調味料も最も低い部分にかければ広がらず、調味料用の小皿が不要となる。
【実施例１】
【０００６】
【図面の簡単な説明】
【０００７】
【図１】本発明の皿敷き１の斜視図である。
【図２】本発明皿敷き１の断面図である。
【図３】本発明木台２の使用状態を示す断面図である。
【符号の説明】
【０００８】１  皿敷き
２  木台
３  鉄皿
【図１】
2011067570.tif 000003
【図２】
2011067570.tif 000004
【図３】
2011067570.tif 000005
(57)【要約】      （修正有）【課題】水切り時において、容器を大きく振るったり、傾けた場合にも中身が外に飛び出すことなく、素早く十分な水切りができるようにした手付きザルとその蓋になる手付きボウルを提供する。【解決手段】開口部が同じ大きさと形をした手付きザル本体２と手付きボウル本体１を別々に設け、両方の器状本体の口縁部４に、同じ大きさと形をした水平把手５をそれぞれ設ける。手付きザル本体の水平把手５と対向する側の口縁部４に掛け止め部７を設け、口縁部４と水平把手５の合流点に凸部８を設け、手付きボウル本体１の水平把手５と対向する側の口縁部４に、手付きザル本体２の掛け止め部７の穴に自由に出入りする掛け部６を設け、手付きボウル本体１の口縁部と水平把手５の合流点に、手付きザル本体の凸部８が自由に出入りする小穴９を設け、手付きザル本体１の口縁部４より下の部分に、複数の水切り用孔１０を設けたことを特徴とする。【選択図】図１
2011067569.tif 000002
【特許請求の範囲】
【請求項１】
開口部が同じ大きさと形をした手付きザル本体と手付きボウル本体を別々に設け、両方の器状本体の口縁部に、同じ大きさと形をした水平把手をそれぞれ設ける。手付きザル本体の水平把手と対向する側の口縁部に掛け止め部を設け、口縁部と水平把手の合流点に凸部を設け、手付きボウル本体の水平把手と対向する側の口縁部に、手付きザル本体の掛け止め部の穴に自由に出入りする掛け部を設け、手付きボウル本体の口縁部と水平把手の合流点に、手付きザル本体の凸部が自由に出入りする小穴を設け、手付きザル本体の口縁部より下の部分に、複数の水切り用孔を設け、手付きザル本体と手付きボウル本体それぞれの水平把手の手前端に引っ掛け穴を設け、手付きザル本体と手付きボウル本体それぞれの底部に高台を設けたことを特徴とする手付きザルとその蓋になる手付きボウル。
【発明の詳細な説明】
【技術分野】
【０００１】  本発明は、調理用具の手付きザルと手付きボウルを一組にした、手付きザルとその蓋になる手付きボウルに関するものである。
【背景技術】
【０００２】  従来、水切り時において、ザルをボウルで受けて、自然に水が切れるのを待つか、中身が外に飛び出さないように、容器を小さく振るったりしていた。
なお、ザルの底にスタンドを設け、ザルを斜めにして水切りする発明が知られている。
【先行技術文献】
【０００３】
【特許文献１】特開２００４−９７７５５号公報
【発明の概要】
【発明が解決しようとする課題】
【０００４】  水切り時において、容器を大きく振るったり、傾けた場合には、中身が外に飛び出してしまい、素早く十分な水切りができなかった。
本発明は、以上の問題点を解決するためになされたものである。
【課題を解決するための手段】
【０００５】  開口部が同じ大きさと形をした手付きザル本体と手付きボウル本体を別々に設け、両方の器状本体の口縁部に、同じ大きさと形をした水平把手をそれぞれ設ける。手付きザル本体の水平把手と対向する側の口縁部に掛け止め部を設け、口縁部と水平把手の合流点に凸部を設ける。手付きボウル本体の水平把手と対向する側の口縁部に、手付きザル本体の掛け止め部の穴に自由に出入りする掛け部を設ける。手付きボウル本体の口縁部と水平把手の合流点に、手付きザル本体の凸部が自由に出入りする小穴を設ける。手付きザル本体の口縁部より下の部分に、複数の水切り用孔を設ける。手付きザル本体と手付きボウル本体それぞれの水平把手の手前端に引っ掛け穴を設ける。手付きザル本体と手付きボウル本体それぞれの底部に、高台を設ける。
以上を特徴とする手付きザルとその蓋になる手付きボウルである。
【発明の効果】
【０００６】  水切り時において、容器を大きく振るったり、傾けた場合にも、中身が外に飛び出すことがないので、素早く十分な水切りができる。
本発明は、容器の中に水切りするものを山盛りに入れることができるので、従来のものよりも本体を小さくすることが可能である。
【図面の簡単な説明】
【０００７】
【図１】本発明の斜視図
【図２】本発明の使用状態を示す図
【発明を実施するための形態】
【０００８】  以下、本発明の実施の形態について説明する。
（イ）開口部（３）が同じ大きさと形をした手付きボウル本体（１）と手付きザル本体（      ２）を別々に設ける。
（ロ）手付きボウル本体（１）と手付きザル本体（２）の口縁部（４）に、同じ大きさと      形をした水平把手（５）をそれぞれ設ける。
（ハ）手付きザル本体（２）の水平把手（５）と対向する側の口縁部（４）に掛け止め部      （７）を設ける。
（ニ）手付きザル本体（２）の口縁部（４）と水平把手（５）の合流点に、凸部（８）を      設ける。
（ホ）手付きボウル本体（１）の水平把手（５）と対向する側の口縁部（４）に、手付き      ザル本体（２）の掛け止め部（７）の穴に自由に出入りする掛け部（６）を設ける      。
（ヘ）手付きボウル本体（１）の口縁部（４）と水平把手（５）の合流点に、手付きザル      本体（２）の凸部（８）が自由に出入りする小穴（９）を設ける。
（ト）手付きザル本体（２）の口縁部（４）より下の部分に、複数の水切り用孔（１０）      を設ける。
（チ）手付きザル本体（２）と手付きボウル本体（１）それぞれの水平把手（５）の手前      端に引っ掛け穴（１１）を設ける。
（リ）手付きザル本体（２）と手付きボウル本体（１）それぞれの底部に高台（１２）を      設ける。
本発明は以上のような構成で、これを使用するときは、手付きザル本体（２）に野菜などの水切りするものを入れた後、手付きボウル本体（１）を反転させ、手付きザル本体（２）の開口部（４）に被せるようにして、最初に掛け部（６）を手付きザル本体（２）の掛け止め部（７）に引っ掛けて、そのあと手付きボウル本体（１）の小穴（９）に手付きザル本体（２）の凸部（８）を入れて蓋をします。次に重なった両方の水平把手（５）を片手（１２）で一緒に持って、手付きザル本体（２）を下向きにしながら大きく振るうことで、中身が外に飛び出すことなく、複数の水切り用孔（１０）から水が出て、素早く十分な水切りができる。しかも手付きザル本体（２）に野菜などを山盛りに入れることができるので、従来のものよりも本体を小さくすることが可能である。
【符号の説明】
【０００９】      １手付きボウル本体
２手付きザル本体
３開口部
４口縁部
５水平把手
６掛け部
７掛け止め部
８凸部
９小穴
１０水切り用孔
１１引っ掛け穴
１２高台
１３片手
【図１】
2011067569.tif 000003
【図２】
2011067569.tif 000004
(57)【要約】【課題】  包丁置き器は、包丁研ぎ器に包丁置器、滑り止め、交換シートをくみ合わせることで、衛生的にも安全面でも安心して使用することができる包丁置器。【解決手段】  包丁置器は、包丁研ぎ器の湾曲部背中中央縦方向に切り込みを入れて、包丁を交換シートに挟み包丁置器に入れる。包丁置器の底に滑り止めを付け安定性を高め、交換シートを付けることで運搬時や使用前、使用後の安全を確保し、シートを交換することで衛生面においても確保した事を特徴とする  交換シート付き包丁置器。【選択図】図３
2011067579.tif 000002
【特許請求の範囲】
【請求項１】
包丁置器は、包丁研ぎ器の湾曲部背中央部分を縦方向に切り込みをいれて、包丁置器とし、底に滑り止めをつけた、交換シートは包丁の形に合せて形成し、中央に折り目をつけ、包丁を挟み包丁置きに差し込み固定し、運搬の安全を確保し、シートは簡単に交換することができ衛生面にも考慮した。以上を特徴とする、交換シート付き包丁置器。
【発明の詳細な説明】
【技術分野】
【０００１】  本発明の包丁置器は、包丁研ぎ器に包丁置き、滑り止めを付けた。
交換シートを組み合わせることで、使って便利、置いて安心、場所も取らず収納でき、衛生面・安全面ともに確保した。
【技術背景】
【０００２】  従来の包丁研ぎ器には包丁を置くところが無く、別途包丁置き器を必要とした。
切れないと判ってから研ぎ器を探すことが多く、また頻繁に使用するものでもないために、常時携帯している事は稀で、必要な時に直ぐ研ぎ使う事が出来なかった。
そして、研ぐときにも、滑りやすく、危険だった。
【先行技術文献】
【０００３】
【特許文献１】特開平２００１−３３４４５号公報
【発明の概要】
【発明が解決しようとする課題】
【０００４】  そのために、次のような問題点があった。
（イ）包丁研ぎ器に包丁置き器が付いて無かった。
（ロ）使った後の包丁を置く場所に困った。
（ハ）業務用として、客室での調理、アウトドアなどで刃物を運ぶ際、そのままでは不安定で危険だった。
（二）繰り返し使用するため、不衛生で問題があつた。
本発明は以上の点を解決しようとするものである。
【課題を解決するための手段】
【０００５】  本発明の包丁置器は、包丁研ぎ器の背中湾曲部中央縦方向に、切り込みを入れ、包丁置器とした。
包丁置器の底に滑り止めをつけた。
交換シートは包丁に合せて成形し、中央に折り目を付けて、包丁を挟みこんで包丁置器へ差し込み固定し、運搬にも安全を確保し、交換シートは簡単に交換でき衛生的である。
【発明の効果】
【０００６】  交換シート付き包丁置器は、置いて安心、使って便利、交換シートは見て楽しい。
包丁は交換シートに挟み包丁置器の切れ込みに固定することで持ち運びにも安心。
１台で３役の包丁置き器である。
包丁研ぎ器と包丁置き器を一緒にすることで、直ぐに研いで使え、スペースをとらず、ちょっと置きもできて便利である。
包丁研ぎ器を探す手間も省け、手軽に包丁を研ぐことができるので、常に切れ味を良い状態に保つことができる。
包丁研ぎ器の底には滑り止めを付け、研ぐ時のぐらつきを解消し、包丁置器としての安全も向上した。使用後は置く場所をとらず、コンパクトに収納できる。
交換シートは、包丁に合せて形成し、中央に折り目を付けて包丁を挟み、交換シートごと包丁置き器の切り込みに差し込み固定する。
どこへでも包丁を安定して持ち運べるので、アウトドアなどにも活用できる。又、肉、魚、野菜など素材や用途にあわせて交換シートを使い分けができ、衛生的である。
交換シートに、見た目にも可愛いくカラフルな色柄や子供が喜ぶキャラクターなどをプリントすることが出来、また、お花や動物など、いろんな形をデザインにすることで、楽しく食卓を演出する事ができる。
後部中央には、交換シートをまとめて、掛けておくための穴をつけた。
シートは、いつでも取替えて使用出来るので、衛生状態を保持出来る。
【図面の簡単な説明】
【０００７】
【図１】  本発明の斜視図
【図２】  本発明の本体を底から見た斜視図
【図３】  本発明のシートを開いた斜視図
【図４】  本発明のシートの折り目と包丁を示す斜視図
【図５】  本発明のシートを使用した状態の斜視図
【発明を実施するための最良の形態】
【０００８】  以下、本発明の実施の形態について説明する。
（イ）  包丁置器本体（１）は、包丁研ぎ器の背面に湾曲部縦方向中央部に包丁（１１）の厚さにあわせて切り込み（３）を入れ形成し、包丁（１１）の収納部を設け包丁置器本体（１）とする。
（ロ）  包丁置器（１）の底に滑り止め（５）に滑り止め素材として、ゴム、プラスチックゴム、合成ゴム等をつける。
（ハ）  交換用シート（６）の形状は、略三角形として、その中央に折り目（７）を設け、後端に突出片（８）を設け、そこに穴（９）をあけ、掛け部（１０）とする。
本発明は以上のような構成で、これを使用するときは、包丁（１１）を交換シート（６）に挟み込み、包丁置器本体（１）の切れ込み（３）に収納する。
交換シート（６）は包丁（１１）に合わせ形成し、野菜、魚、肉その他の素材ごとに使い分けができる。
中央に折り目（７）を付けて、包丁（１１）を挟んで包丁置き（１）の切れ込み（３）に差込む事によって固定出来る。
業務用、野外活動などでの運搬も安全にする。
交換シート（６）は簡単に交換することが出来きる。
後部中央にある突出片（８）に穴（９）を設け、交換シート（６）に、掛け部（１０）を設けた。
【符号の説明】
【０００９】  １  包丁置器本体
２  研ぎ部
３  切り込み
４  握り部
５  滑り止め
６  交換シート
７  折り目
８  突出片
９  穴
１０  掛け部
１１  包丁
【図１】
2011067579.tif 000003
【図２】
2011067579.tif 000004
【図３】
2011067579.tif 000005
【図４】
2011067579.tif 000006
【図５】
2011067579.tif 000007
(57)【要約】【課題】髪をまとめて顔をすっきり見せるが皺を伸ばしてすっきり見せられない【解決手段】２本のピンに髪をからませ合わせ止めることにより顔の皺を同時に伸ばせる【選択図】図１
2011067573.tif 000002
【特許請求の範囲】
【請求項１】
髪をとげ状のピンにからませ頭皮を引き上げ易い形状を特徴とする
顔の皺も同時に引き上げる２本のピンを合わせ互いに引き合う形状を特徴とする
伸縮するストッパーで段状のすべり止めを特徴とする
【請求項２】
【発明の詳細な説明】
【技術分野】
【０００１】この発明は、髪をまとめるのに用いるピンの形状に関する。
【背景技術】
【０００２】従来の髪用のピンは、まとめる以外頭髪を引っ張り皺を伸ばす
【先行技術文献】
【特許文献】
【０００３】
【非特許文献】
【０００４】
【発明の概要】
【発明が解決しようとする課題】
【０００５】ぴんは、髪をまとめたり止めたりして顔をすっきりみせるが、顔の皺を引っ張りすっきり見せる
【課題を解決するための手段】
【０００６】  以上の課題を解決するために、第一発明は、髪をピンに巻きとげ状の巻き戻りを設けたことを特徴とし  また、第二発明は、２本のピンにすべり止めを設け、このすべり止めは複数設けられた段状の突起であることを特徴としそれぞれをストッパーにて調節可能な止めかたにより頭髪と共に顔の皺まで伸ばすピンである。
【発明の効果】
【０００７】  第一発明により、ピンにとげ状の巻き戻り防止を設けたので、髪が巻き戻らない。または第二発明によれば、段上のすべり止めによりしっかり頭皮を引き上げられる。
【図面の簡単な説明】
【０００８】
【図１】この発明の一実施形態を示す図である。
【発明を実施するための形態】
【０００９】  この発明の一実施形態を、図１に示す。
ピンの本体１，２本は柔らかく互いをゴム製のスットパーでつなぐ
【００１０】「実施形態の効果」
この実施形態によれば、とげ状の棒により髪が巻き戻りにくく、はずしやすい。
ピンを２本にすることにより別々の髪を違う方向に引き上げられる
ストッパーにある複数の段状の突起により引上げの強弱を調節できる
【符号の説明】
【００１０】１  ピン本体            ２  ストッパー
３  とげ状突起          ４  段状すべり止め
【図１】
2011067573.tif 000003
【図２】
2011067573.tif 000004
【手続補正書】
【提出日】平成21年11月27日(2009.11.27)
【手続補正２】
【補正対象書類名】特許請求の範囲
【補正対象項目名】全文
【補正方法】変更
【補正の内容】
【特許請求の範囲】
【請求項１】
髪をとげ状のピンにからませ頭皮を引き上げ易い形状を特徴とする
顔の皺も同時に引き上げる２本のピンを合わせ互いに引き合う形状を特徴とする
伸縮するストッパーで段状のすべり止めを特徴とする
【手続補正３】
【補正対象書類名】明細書
【補正対象項目名】０００８
【補正方法】変更
【補正の内容】
【０００８】
【図１】  この発明の一実施形態を示す図である。
【図２】  この発明の一実施形態を示す符号を補足した平面図である。
(57)【要約】【課題】本発明は、子供の歯磨き時に使用する玩具である。通常子供は、歯磨き時にストレスを感じるが、この発明を使用することにより、歯磨き行為を楽しく変えられることを提供する。【手段】玩具の底部分に、吸盤型または挟みこみ型、または指輪型などの離脱自由になる接着部を設ける。その玩具を子供の歯磨き時に、ハブラシや大人の指などに取り付け使用する。本発明は、以上の構成よりなる玩具である。【選択図】図１
2011067575.tif 000002
【特許請求の範囲】
【請求項１】
歯磨き時などに使用する、離脱自由な吸盤型の接着部を設けた玩具。
【請求項２】
歯磨き時などに使用する、離脱自由な挟みこみ型の挟みこみ部を設けた玩具。
【請求項３】
歯磨き時などに使用する、離脱自由な指輪型の指輪部を設けた玩具。
【発明の詳細な説明】
【技術分野】
【０００１】本発明は、子供が歯磨き時に使用する玩具である。
【技術背景】
【０００２】従来、子供は歯磨きを嫌がり、大人に厳しく躾けられることが多い。しかし、子供のうちに、歯磨きに対して楽しいイメージを持つ事は、大切なことである。
【発明の開示】
【発明の解決しようとする課題】
【０００３】従来、子供は歯磨きを嫌がる傾向であるのは、周知の事実である。
この時、虫歯にならないように大人が手助けしたりするが、子供も大人もストレスを感じることが多い。
本発明は、以上の問題点を軽減し、子供の歯磨き時のストレスを軽減するためのものである。
【課題を解決するための手段】
【０００４】玩具の底部分に、吸盤型または挟みこみ型、または指輪型などの離脱自由になる接着部を設ける。
その玩具をハブラシや、指などに取り付け使用する。
本発明は、以上の構成よりなる玩具である。
【発明の効果】
【０００５】本発明を使用することで、子供も大人も歯磨き時のストレスは軽減され、親子のコミュニケーションにも役立つことができる。
【発明を実施するための最良の形態】
【０００６】以下、本発明の実施の形態を説明する。
（イ）玩具（１）の底に次の離脱自由になる接着部を設ける。
吸盤型（２）には、吸盤部（３）、挟みこみ型（４）には、挟みこみ部（５）、指輪型（６）には、指輪部（７）を設ける。
（ロ）（イ）の玩具を、ハブラシの持ち手部分（８）や、大人の指（９）などに装着する。
本発明は以上のような構成よりなる。
本発明を使用する時は、子供と「どっちのお口が、おおきいか〜！？ガォ〜。」など、コミュニケーションを取りながら使用する。
【図面の簡単な説明】
【０００７】
【図１】本発明の斜視図
【図２】本発明の斜視図
【図３】本発明の左側面図
【図４】本発明の左側面図
【図５】本発明の左側面図
【符号の説明】
【０００８】（１）玩具、（２）吸盤型玩具、（３）吸盤部、（４）挟みこみ型玩具、（５）挟みこみ部、（６）指輪型玩具、（７）指輪部、（８）ハブラシの持ち手部分、（９）（指）
【図１】
2011067575.tif 000003
【図２】
2011067575.tif 000004
【図３】
2011067575.tif 000005
【図４】
2011067575.tif 000006
【図５】
2011067575.tif 000007
(57)【要約】      （修正有）【課題】缶詰等の蓋を開ける際、リングを起こして、蓋を開けるのを指だけで行っていた問題を解決し、高齢者や指の力が弱い人が、容易に使用可能な開缶用具を提供する。【解決手段】リング引き具（１）の端を湾曲に曲げて引き掛け爪（２）を設け、リング引き具（１）の他端に指入輪（３）を２個設けたことを特徴とする開缶用具。【選択図】図１
2011067571.tif 000002
【特許請求の範囲】
【請求項１】
リング引き具（１）の端を湾曲に曲げて引き掛け爪（２）を設け、他端に指入れ輪（３）を２個設けたことを特徴とした開缶用具。
【発明の詳細な説明】
【技術分野】
【０００１】  本発明は、リング引き具本体の片端を湾曲に曲げ、反対端に指入輪を２個設けたことを特徴とした開缶用具に関するものである。
【背景技術】
【０００２】  従来、缶詰等の蓋を開ける際、リングを起こして、蓋を開けるのは指だけで行っていた。
【発明の概要】
【発明が解決しようとする課題】
【０００３】  そのために、次のような問題点がある。
高齢者や指の力が弱い人は、リングを指で引くのが大変であった。
本発明は、これらの問題点を解決されるためになされたものである。
【課題を解決するための手段】
【０００４】  リング引き具本体（１）の片端に湾曲の引き掛け爪（２）を設け、リング引き具（１）の反対端に指入れ輪（３）を２個設けたことを特徴とする開缶用具である。
【発明の効果】
【０００５】  本発明の開缶用具は、指の力が弱くなった人でも、瓶詰、缶詰のリングを引き開けることに役に立つ。
【図面の簡単な説明】
【０００６】
【図１】  本発明の斜視図である。
【図２】  本発明の使用状態を示した説明図である。
【発明を実施するための形態】
【０００７】  以下、本発明の形態について説明する。
（イ）リング引き具（１）の端を湾曲に曲げて引き掛け爪（２）を設ける。
（ロ）リング引き具（１）の他端に指入輪（３）を２個設ける。
以上のような構成よりなる開缶用具に関するものである。
本発明の使い方を説明する。
リング引き具（１）の端の指入れ輪（３）に２本の指を入れ、湾曲に曲げた引き掛け爪（２）をリングにかけてから引いて開ける。
【符号の説明】
【０００８】  １  リング引き具
２  引き掛け爪
３  指入れ輪
【図１】
2011067571.tif 000003
【図２】
2011067571.tif 000004
(57)【要約】【課題】  物干し場のスペースを有効活用、また収納場所をとらずにすむことを可能にした伸縮連式ハンガーを提供する。【解決手段】  本体部分をパンタグラフ状にすることにより、伸縮自在にした連式ハンガー。【選択図】図１
2011067574.tif 000002
【特許請求の範囲】
【請求項１】
本体部分をパンタグラフ状にすることにより伸縮自在にした連式ハンガー。
【発明の詳細な説明】
【技術分野】
【０００１】  本発明は本体部分をパンタグラフ状にすることで伸縮自在にし、物干し場のスペースを有効活用、また収納場所をとらずにすむことを可能にした伸縮連式ハンガ−に関するものである。
【背景技術】
【０００２】  従来の連式ハンガ−は、固定されており伸縮不可能であった。
なお、複数個のハンガ−を並列に並べた構造であり、ハンガ−のア−ム部を通して吊掛け操作が行なえる物干し具があった。
【発明の開示】
【発明が解決しようとする課題】
【０００３】    そのために次のような問題点があった。
（イ）ハンガ−間が固定されているため、洗濯物が乾きにくかった。
（ロ）ハンガ−間が固定されているため、物干し場のスペ−スの有効活用ができなかっ  た。
（ハ）ハンガ−間が固定されているため、使用しない時、収納場所を広くとらなくては  ならなかった。
本発明は以上の問題点を解決しようとするものである。
【課題を解決するための手段】
【０００４】    本体部分をパンタグラフ状にすることにより伸縮自在としたことを特徴とする連式ハ  ンガーである。
【発明の効果】
【０００５】  本発明は、本体部分を自在に伸縮させることができるため、天候が悪く洗濯物を速く乾かしたい時や物干し場に余裕がある時などこれを伸ばして使い、洗濯物が多い時はこれを縮めて使うことにより物干し場のスペ−スの有効活用を可能にした。
また、使用しない時も、畳んだ状態では収納場所をとらずにすむ。
【発明を実施するための最良の形態】
【０００６】  以下、本発明の実施の形態を説明する。
（イ）指示板（１）を上下に重ねていき、その両端と中央、また、指示板（１）と指          示板（２）の両端を固定ピン（３）でとめる。
（ロ）指示板（１）の中心にハンガーが一体となった係止片（４）を取り付ける。
本発明は、以上の構成により成り立っている。
本発明を使用するときは、吊り掛け用フック（５）を竿に取り付け、指示板（１）を縮め、ハンガーに洗濯物を取り付けた状態でそれを左右に伸ばし、再び縮ませて洗濯物を取り込む。
【図面の簡単な説明】
【０００７】
【図１】本発明の実施形態を表す斜視図
【図２】本発明を畳んだ状態の斜視図
【図３】（４）の拡大図
【符号の説明】
【０００８】    １、２…指示板
３…ピン
４…係止板
５…吊り掛け用フック
６…ハンガー
【図１】
2011067574.tif 000003
【図２】
2011067574.tif 000004
【図３】
2011067574.tif 000005
(57)【要約】【課題】折りたたみワイヤー布に穴を開けた子供便座具を提供する。【解決手段】布の中心に長方形の穴を設け布のふちに折りたたみワイヤーを設け、裏面にすべり止めシートを装着したことを特徴とする子供便座具。【選択図】図１
2011067584.tif 000002
【特許請求の範囲】
【請求項１】
布の中心に長方形の穴を開け、ふち部分に折りたたみワイヤーを通し、裏面にすべり止めシートを装着することを特徴とする子供便座具。
【発明の詳細な説明】
【技術分野】
【０００１】本発明は、折りたたみワイヤー布に穴を開けた子供便座に関するものである。
【背景技術】
【０００２】従来、便座にとりつけるプラスチック製の子供便座があった。
【発明の概要】
【発明が解決しようとする課題】
【０００３】そのため、次のような問題点があった。
（イ）外出先での子供便座が少ない。
（ロ）プラスチック製など重く大きい為外出時持ち運べない。
（ハ）子供が便座をいやがりトイレトレーニングができない。
本発明は、これらの問題点を解決するためになされたものである。
【課題を解決するための手段】
【０００４】布の中心に長方形の穴を設け、布のふちの部分に折りたたみワイヤーを設け、裏面にはすべり止めシートを装着する。
以上を特徴とする子供便座具である。
【発明の効果】
【０００５】軽量で、小さく折りたため持ち運べ、使用時には便座にあたる部分にすべり止めが密着する事で、安定する。
【図面の簡単な説明】
【０００６】
【図１】本発明の内部を示した斜面図である。
【図２】本発明の裏面の説明図である。
【図３】本発明の縮少の説明図である。
【図４】本発明の使用状態を示した説明図である。
【発明を実施するための形態】
【０００７】以下、本発明の実施の形態について説明する。
（イ）長方形の布（３）の中心部に小さな長方形の穴（２）を設け、外わくの部分に折りたたみワイヤー（１）を設ける。
（ロ）裏面（５）で、便座に接する部分にすべり止めシート（４）を接着する。
本発明は以上のような構成である。
本発明を使用する時は、縮小（６）した折りたたみワイヤー（１）を広げ裏面（５）のすべり止め部分（４）を下にむけ便座の上に置く。
装着できたら子供を布シートの上に乗せ使用させる。
この結果子供に外出時のトイレトレーニングができ子供便座をさがさなくてもよい。
【符号の説明】
【０００８】１  折りたたみワイヤー
２  長方形の穴
３  長方形の布
４  すべり止めシート
５  裏面部
６  縮小
【図１】
2011067584.tif 000003
【図２】
2011067584.tif 000004
【図３】
2011067584.tif 000005
【図４】
2011067584.tif 000006